(57)【要約】【課題】上方及び下方の何れの商品サンプルに対しても視認性を向上させることのできる自動販売機を提供する。【解決手段】上方に配置される商品サンプル表示部３０を斜め下方を臨むように設け、下方に配置される商品サンプル表示部３０を斜め上方を臨むように設けたので、例えば大人、子供、車椅子の利用者など、商品サンプル表示部３０を見る位置が上下方向に異なる場合でも、上方及び下方の何れの商品サンプルに対しても視認性を向上させることができ、商品サンプルの展示効果を高めることができる。【選択図】図１
2006330989.tif 000002
【特許請求の範囲】
【請求項１】
自動販売機本体の前面に設けられた外扉と、商品サンプルを表示する複数の商品サンプル表示部とを備え、各商品サンプル表示部を外扉の前面の上下方向複数箇所に配置した自動販売機において、
上方に配置される商品サンプル表示部を斜め下方を臨むように設け、下方に配置される商品サンプル表示部を斜め上方を臨むように設けた
ことを特徴とする自動販売機。
【請求項２】
上方に配置される商品サンプル用の商品選択スイッチをその商品サンプルの下方に位置するように設け、外扉の下方に配置される商品サンプル用の商品選択スイッチをその商品サンプルの上方に位置するように設けた
ことを特徴とする請求項１記載の自動販売機。
【請求項３】
前記商品サンプル表示部を、商品サンプルを表示した光透過性の商品表示体と、商品表示体の前面を覆う透明のカバー部と、商品表示体の背面側から光を照射する発光体とから形成した
ことを特徴とする請求項１または２記載の自動販売機。
【請求項４】
前記発光体を光源が面状に配置された面状発光体によって形成した
ことを特徴とする請求項３記載の自動販売機。
【請求項５】
前記商品表示体をカバー部の背面側に着脱自在に設けた
ことを特徴とする請求項３または４記載の自動販売機。
【請求項６】
前記外扉の前面下部に商品取出口を有し、商品取出口を幅方向中央側の下端側が幅方向両端側よりも下方に広がるように形成した
ことを特徴とする請求項１、２、３、４または５記載の自動販売機。
【請求項７】
前記外扉の前面所定位置に硬貨返却口を有するとともに、硬貨返却口には上端側を回動自在に支持された開閉扉を設け、硬貨返却口の上部幅方向両端側を開閉扉の前方への回動が規制されるように下部側よりも幅方向に小さく形成した
ことを特徴とする請求項１、２、３、４、５または６記載の自動販売機。
【発明の詳細な説明】
【技術分野】
【０００１】
本発明は、例えばビン、缶またはペットボトル入り飲料等の商品を販売する自動販売機に関するものである。
【背景技術】
【０００２】
従来、この種の自動販売機としては、前面を開口した自動販売機本体と、自動販売機本体の前面開口部を開閉する外扉と、外扉の前面に設けられた複数の商品サンプルとを備え、各商品サンプルを外扉の上下方向複数箇所に配置したものが知られている（例えば、特許文献１参照。）。
【特許文献１】特開２００４−１２６６６０号公報
【発明の開示】
【発明が解決しようとする課題】
【０００３】
しかしながら、前記自動販売機では、各商品サンプルが全て正面を向くように設けられているため、例えば子供や車椅子の利用者が上方の商品サンプルを下方から見上げる場合は、上方の商品サンプルに対する視認性が悪く、また、例えば大人が下方の商品サンプルを上方から見下ろす場合には、下方の商品サンプルに対する視認性が悪いという問題点があった。
【０００４】
本発明は前記問題点に鑑みてなされたものであり、その目的とするところは、上方及び下方の何れの商品サンプルに対しても視認性を向上させることのできる自動販売機を提供することにある。
【課題を解決するための手段】
【０００５】
本発明は前記目的を達成するために、自動販売機本体の前面に設けられた外扉と、商品サンプルを表示する複数の商品サンプル表示部とを備え、各商品サンプル表示部を外扉の前面の上下方向複数箇所に配置した自動販売機において、上方に配置される商品サンプル表示部を斜め下方を臨むように設け、下方に配置される商品サンプル表示部を斜め上方を臨むように設けている。
【０００６】
これにより、上方の商品サンプルを下方から見上げる場合は、最上部に配置された商品サンプル表示部が下方を臨むように傾斜しているので、上方の商品サンプルに対する視認性が向上する。また、下方の商品サンプルを上方から見下ろす場合は、商品サンプル表示部の最上部に配置された商品サンプルが上方を臨むように傾斜しているので、下方の商品サンプルに対する視認性が向上する。
【発明の効果】
【０００７】
本発明の自動販売機によれば、例えば大人、子供、車椅子の利用者など、商品サンプル表示部を見る位置が上下方向に異なる場合でも、上方及び下方の何れの商品サンプルに対しても視認性を向上させることができるので、商品サンプルの展示効果を高めることができる。
【発明を実施するための最良の形態】
【０００８】
図１乃至図７は本発明の一実施形態を示すもので、図１は自動販売機の全体斜視図、図２はその側面図、図３は表示パネルの部分分解斜視図、図４はその要部平面断面図、図５は商品取出口の斜視図、図６は硬貨返却口の正面図、図７はその側面断面図である。
【０００９】
この自動販売機は、商品を収納する自動販売機本体１０と、自動販売機本体１０の前面に設けられた外扉２０と、複数の商品サンプルを表示する表示パネル３０とを備え、表示パネル３０は外扉の前面に配置されている。
【００１０】
自動販売機本体１０は内部に商品収納庫（図示せず）を備え、商品収納庫内には、例えばサーペンタイン式の商品コラム（図示せず）が設置されている。
【００１１】
外扉２０は幅方向一端を自動販売機本体１０に回動自在に支持され、その前面上部には広告表示部２１が設けられている。外扉２０の幅方向中央には上下方向に延びる縦長の前面パネル２２が設けられ、前面パネル２２は前方に湾曲するように形成されている。また、前面パネル２２には、硬貨投入口２３、紙幣投入口２４及び金額表示部２５が設けられている。外扉２０の前面下部には商品取出口２６が設けられ、商品取出口２６には上端を回動自在に支持された開閉扉２６ａが設けられている。商品取出口２６は横長に形成され、その下端側の幅方向中央側が幅方向両端側よりも下方に広がるように形成されている。前面パネル２２の下部には硬貨返却口２７が設けられ、硬貨返却口２７には上端を回動自在に支持された開閉扉２７ａが設けられている。また、開閉扉２７ａの後方には硬貨受容部材２８が設けられている。開閉扉２７ａは透明の合成樹脂からなり、その上部幅方向両側に設けた支軸２７ｂを介して硬貨受容部材２８に回動自在に支持されている。硬貨受容部材２８は前面及び上面を開口した箱状に形成され、その底面は奥側が低くなるように斜めに形成されている。また、硬貨返却口２７の上部幅方向両端側には内側に向かって徐々に幅寸法が小さくなるリブ２７ｃが形成され、図７(a) に示すように各リブ２７ｃに開閉扉２７ａの上部幅方向両端側が当接することにより、開閉扉２７ａの前方への回動が規制されるようになっている。
【００１２】
表示パネル３０は前面パネル２２の両側にそれぞれ配置され、複数の商品サンプル表示部３１を左右方向に上下４列に配置している。表示パネル３０は、缶入り飲料等の所定の商品サンプルを表示した光透過性の複数の商品表示体３２と、各商品表示体３２の前面を覆うカバー部３３と、各商品表示体３２の背面側からそれぞれ光を照射する複数の発光体３４と、各商品サンプルに対応するように設けられた複数の商品選択スイッチ３５とからなる。
【００１３】
各商品表示体３２は、例えば可撓性のフィルムに商品サンプルの図柄や価格を印刷してなり、カバー部の３３の背面側に着脱自在に取付けられている。
【００１４】
各カバー部３３は互いに透明の合成樹脂によって一体に形成され、それぞれ前方に向かって湾曲するように形成されている。この場合、最上部のカバー部３３は斜め下方を臨むように形成され、最下部のカバー部３３は斜め上方を臨むように形成されている。尚、上下方向中央側の２列のカバー部３３は正面を臨むように形成されている。また、カバー部３３の背面側には幅方向一対の突起３３ａが設けられ、各突起３３ａに商品表示体３２の幅方向両端を係止することにより、商品表示体３２がカバー部３３に保持されるようになっている。
【００１５】
各発光体３４は光源としてのＬＥＤを面状に配置してなる周知の面状発光体からなり、各カバー部３３の背面側にそれぞれ配置されている。即ち、発光体３４の光が商品表示体３２を透過してカバー部３３の外部に照射されることにより、商品サンプル表示部３０の商品サンプルが点灯するようになっている。この場合、商品の売り切れ時には発光体３４への通電が解除され、商品サンプル表示部３０の商品サンプルが消灯するようになっている。
【００１６】
各商品選択スイッチ３５は周知の押ボタンスイッチからなり、それぞれ各カバー部３３に取付けられている。この場合、最上部及び上下方向中央側の商品サンプル表示部３１に設けられる商品選択スイッチ３５はカバー部３３の下端側（商品サンプルの下方）に配置され、最下部の商品サンプル表示部３１に設けられる商品選択スイッチ３５はカバー部３３の上端側（商品サンプルの上方）に配置されている。
【００１７】
以上のように構成された自動販売機においては、各商品サンプル表示部３０の商品サンプルの中から所望の商品を選択し、その商品サンプルに対応する商品選択スイッチ３５を押圧する。その際、図２の実線矢印に示すように上方の商品サンプルを下方から見上げる場合は、最上部に配置された商品サンプル表示部３０が下方を臨むように傾斜しているので、上方の商品サンプルに対する視認性が向上する。また、図２の破線矢印に示すように下方の商品サンプルを上方から見下ろす場合は、商品サンプル表示部３０の最上部に配置された商品サンプルが上方を臨むように傾斜しているので、下方の商品サンプルに対する視認性が向上する。更に、商品選択スイッチ３５を押圧する際は、最上部に配置された商品サンプル表示部３０の商品選択スイッチ３５がその商品サンプルの下方に設けられているので、商品サンプル表示部３０の下方から商品選択スイッチ３５を操作する場合、商品選択スイッチ３５までの距離が商品サンプル表示部３０よりも近くなる。また、最下部に配置された商品サンプル表示部３０の商品選択スイッチ３５がその商品サンプルの上方に設けられているので、商品サンプル表示部３０の上方から商品選択スイッチ３５を操作する場合、商品選択スイッチ３５までの距離が商品サンプル表示部３０よりも近くなる。
【００１８】
商品選択スイッチ３５が押圧されると、自動販売機本体１０内の商品コラムから商品取出口２６に商品Ａが搬出され、図５に示すように商品取出口２６の開閉扉２６ａを後方に回動することにより、商品取出口２６内の商品Ａが取出される。また、商品Ａが搬出されると、釣銭がある場合は硬貨返却口２７に硬貨が返却され、図７(b) に示すように硬貨返却口２７の開閉扉２７ａを後方に回動することにより、硬貨受容部材２８内の硬貨Ｂが取出される。
【００１９】
このように、本実施形態の自動販売機によれば、上方に配置される商品サンプル表示部３０を斜め下方を臨むように設け、下方に配置される商品サンプル表示部３０を斜め上方を臨むように設けたので、例えば大人、子供、車椅子の利用者など、商品サンプル表示部３０を見る位置が上下方向に異なる場合でも、上方及び下方の何れの商品サンプルに対しても視認性を向上させることができ、商品サンプルの展示効果を高めることができる。
【００２０】
この場合、上方に配置される商品サンプル用の商品選択スイッチ３５をその商品サンプルの下方に位置するように設け、下方に配置される商品サンプル用の商品選択スイッチをその商品サンプルの上方に位置するように設けたので、上下方向の何れの商品サンプルの商品選択スイッチ３５を操作する場合でも、利用者から商品選択スイッチ３５までの距離が近くなり、商品選択作業を容易に行うことができる。
【００２１】
また、各商品サンプル表示部３１を、商品サンプルを表示した光透過性の商品表示体３２と、商品表示体３２の前面を覆う透明のカバー部３３と、商品表示体３２の背面側から光を照射する発光体３４とから形成したので、発光体３４によって商品サンプル表示部３１の商品サンプルをカバー部３３の内側から点灯させることができ、照明効果を高めることができる。
【００２２】
この場合、発光体３４を光源が面状に配置されるように形成したので、発光体３４の光を商品表示体３２の全体に亘って均一に照射することができ、しかも発光体３４の厚さ寸法を小さくすることができるので、表示パネル３０の薄型化を図ることができる。
【００２３】
更に、商品表示体３２をカバー部３３の背面側に着脱自在に取付けるようにしたので、商品表示体３２のみを交換することにより販売商品の表示を容易に変更することができ、実用化に際して極めて有利である。
【００２４】
また、商品取出口２６の下端側の幅方向中央側を幅方向両端側よりも下方に広がるように形成したので、商品取出口２６内の商品Ａを取出す際、商品取出口２６内の商品Ａに対する外部からの視認性を向上させることができるとともに、商品Ａの取出しも容易に行うことができる。
【００２５】
更に、硬貨返却口２７の上部幅方向両端側に内側に向かって徐々に幅寸法が小さくなるリブ２７ｃを形成し、各リブ２７ｃとの当接により開閉扉２７ａの前方への回動を規制するようにしたので、開閉扉２７ａを硬貨返却口２７の外側まで回動させることができなくなり、例えば硬貨返却口２７内に異物を入れるなどの不正行為を効果的に防止することができる。この場合、開閉扉２７ａの上部と各リブ２７ｃとの当接によって開閉扉２７ａの回動が規制されるので、硬貨返却口２７ｂの下部には開閉扉２７ａと当接する部分を設ける必要がなく、硬貨返却口２７ｂの下部における開閉扉２７ａの開放操作及び硬貨Ｂの取出作業を円滑に行うことができる。
【図面の簡単な説明】
【００２６】
【図１】本発明の一実施形態を示す自動販売機の全体斜視図
【図２】自動販売機の側面図
【図３】表示パネルの部分分解斜視図
【図４】表示パネルの要部平面断面図
【図５】商品取出口の斜視図
【図６】硬貨返却口の正面図
【図７】硬貨返却口の側面断面図
【符号の説明】
【００２７】
１０…自動販売機本体、２０…外扉、２６…商品取出口、２７…硬貨返却口、２７ｃ…リブ、３１…商品サンプル表示部、３２…商品表示体、３３…カバー部、３４…発光体、３５…商品選択スイッチ、Ａ…商品、Ｂ…硬貨。
【図１】
2006330989.tif 000003
【図２】
2006330989.tif 000004
【図３】
2006330989.tif 000005
【図４】
2006330989.tif 000006
【図５】
2006330989.tif 000007
【図６】
2006330989.tif 000008
【図７】
2006330989.tif 000009